(57)【要約】  照明制御装置１００は、照明灯６０と交流電圧源２０との間に接続され、交流電圧源２０から照明灯６０に出力される、照明灯６０を点灯するための負荷電力を調整する磁気エネルギー回生スイッチ（ＭＥＲＳ）３０と、ＭＥＲＳ３０を制御する調光制御部７０と、照明灯６０の車両進行方向上流側の車両交通量を検知する交通量検知センサ８０と、を備える。調光制御部７０は、照明灯６０が定格点灯時の輝度未満の輝度で点灯する待機点灯状態となるように負荷電力を調整し、交通量検知センサ８０の検知結果に応じて、待機点灯状態における輝度以上の輝度で照明灯６０が点灯するように負荷電力を調整すべく、ＭＥＲＳ３０を制御する。
2010001435.tif 000002
【特許請求の範囲】
【請求項１】
照明灯と電源との間に接続され、前記電源から前記照明灯に出力される、前記照明灯を点灯するための負荷電力を調整する負荷電力調整スイッチと、
前記負荷電力調整スイッチを制御する調光制御部と、
前記照明灯の周囲の状況を検知する状況検知手段と、
を備え、
前記調光制御部は、前記照明灯が定格点灯時の輝度未満の輝度で点灯する待機点灯状態となるように負荷電力を調整し、前記状況検知手段の検知結果に応じて、前記照明灯が前記待機点灯状態における輝度以上の輝度で点灯する状態となるように負荷電力を調整すべく、前記負荷電力調整スイッチを制御することを特徴とする照明制御装置。
【請求項２】
前記負荷電力調整スイッチは、少なくとも２つの逆導通型半導体スイッチと、電流遮断時の電流の磁気エネルギーを蓄積して前記照明灯に回生するためのコンデンサと、を有し、前記逆導通型半導体スイッチのゲート位相を制御することで、前記照明灯に供給する負荷電力を調整することを特徴とする請求項１に記載の照明制御装置。
【請求項３】
前記照明灯は、誘導性負荷を有する照明灯であり、
前記待機点灯状態で前記照明灯に出力される負荷電力は、定格点灯時の負荷電力未満かつ前記照明灯が放電を維持し得る最低負荷電力以上であって、定格点灯時の負荷電力よりも前記最低負荷電力に近いことを特徴とする請求項１または２に記載の照明制御装置。
【請求項４】
前記状況検知手段は、前記照明灯の照射領域の車両進行方向上流側の車両の交通量を検知する交通量検知センサであることを特徴とする請求項１ないし３のいずれか１項に記載の照明制御装置。
【請求項５】
前記調光制御部は、前記交通量検知センサによって検知された車両の交通量が第１の所定量となるまでは、交通量の増加に応じて前記照明灯に供給する負荷電力が増大し、車両の交通量が前記第１の所定量以上となった場合には、交通量の増加に応じて前記照明灯に供給する負荷電力が減少するように、前記負荷電力調整スイッチを制御することを特徴とする請求項４に記載の照明制御装置。
【請求項６】
前記調光制御部は、前記交通量検知センサによって検知された車両の交通量が第２の所定量となるまでは、交通量の減少に応じて前記照明灯に供給する負荷電力が増大し、車両の交通量が前記第２の所定量未満となった場合には、交通量の減少に応じて前記照明灯に供給する負荷電力が減少するように、前記負荷電力調整スイッチを制御することを特徴とする請求項４または５に記載の照明制御装置。
【請求項７】
前記状況検知手段は、前記照明灯から所定範囲内における人の存在を検知する人感センサであることを特徴とする請求項１ないし３のいずれか１項に記載の照明制御装置。
【請求項８】
前記調光制御部は、前記人感センサによって人が検知された範囲に光照射する照明灯の輝度を、前記人感センサによって人が検知されなかった領域に光照射する照明灯の輝度と異ならせるように、前記負荷電力調整スイッチを制御することを特徴とする請求項７に記載の照明制御装置。
【請求項９】
前記調光制御部は、前記人感センサによって人が検知された範囲に光照射する照明灯の輝度が、前記人感センサによって人が検知されなかった領域に光照射する照明灯の輝度よりも大きくなるように、前記負荷電力調整スイッチを制御することを特徴とする請求項８に記載の照明制御装置。
【請求項１０】
前記調光制御部は、前記照明灯の輝度が無段階に変化するように、前記負荷電力調整スイッチを制御することを特徴とする請求項１ないし９のいずれか１項に記載の照明制御装置。
【請求項１１】
前記調光制御部は、単位時間あたりの前記照明灯の輝度の変化量が所定値以下となるように、前記負荷電力調整スイッチを制御することを特徴とする請求項１ないし１０のいずれか１項に記載の照明制御装置。
【請求項１２】
前記調光制御部は、予め規定された前記待機点灯状態での負荷電力で前記照明灯が点灯できなくなった場合に、前記待機点灯状態での負荷電力を増大させるように、前記負荷電力調整スイッチを制御することを特徴とする請求項１ないし１１のいずれか１項に記載の照明制御装置。
【請求項１３】
前記照明灯に流れる電流を監視する電流監視部を備え、
前記調光制御部は、前記待機点灯状態において前記照明灯に電流が流れなくなったことが前記電流監視部によって検知されたときに、前記待機点灯状態での負荷電力を増大させるように、前記負荷電力調整スイッチを制御することを特徴とする請求項１２に記載の照明制御装置。
【請求項１４】
前記照明灯の輝度を測定する輝度検知センサを備え、
前記調光制御部は、前記待機点灯状態にある前記照明灯の輝度が所定値未満となったことが前記輝度検知センサによって検知されたときに、前記待機点灯状態での負荷電力を増大させるように、前記負荷電力調整スイッチを制御することを特徴とする請求項１２または１３に記載の照明制御装置。
【請求項１５】
前記調光制御部は、前記照明灯の使用時間が所定時間以上となったときに、前記待機点灯状態での負荷電力を増大させるように、前記負荷電力調整スイッチを制御することを特徴とする請求項１２ないし１４のいずれか１項に記載の照明制御装置。
【請求項１６】
ユーザが手動で前記負荷電力調整スイッチを制御するためのユーザ操作部を備え、
前記負荷電力調整スイッチは、前記ユーザ操作部を介して制御されることを特徴とする請求項１ないし１５のいずれか１項に記載の照明制御装置。
【請求項１７】
前記負荷電力調整スイッチは、４つの逆導通型半導体スイッチで構成されるブリッジ回路と、
前記ブリッジ回路の直流端子間に接続され、電流遮断時の電流の磁気エネルギーを蓄積して前記照明灯に回生するためのコンデンサと、を有し、
前記調光制御部は、前記逆導通型半導体スイッチのゲートに制御信号を送り、前記ブリッジ回路の対角線上に位置する２つの逆導通型半導体スイッチからなるペア２組のうち、一方のペアがＯＮの時に他方のペアがＯＦＦとなるように、各ペアの逆導通型半導体スイッチのＯＮ／ＯＦＦ切換を前記電源の周波数に同期して行うことで、前記照明灯に供給する負荷電力量を調整することを特徴とする請求項１ないし１６のいずれか１項に記載の照明制御装置。
【請求項１８】
前記負荷電力調整スイッチは、
直列に接続された２つの逆導通型半導体スイッチと、
前記２つの逆導通型半導体スイッチと並列に設けられた、直列に接続された２つのコンデンサと、
前記２つのコンデンサそれぞれと並列に接続された２つのダイオードと、
を含む縦型のハーフブリッジ構造を有することを特徴とする請求項１ないし１６のいずれか１項に記載の照明制御装置。
【請求項１９】
前記負荷電力調整スイッチは、
第１の経路上に直列に設けられた逆導通型半導体スイッチおよびコンデンサと、
前記第１の経路と並列な第２の経路上に直列に設けられた逆導通型半導体スイッチおよびコンデンサと、
前記第１、第２の経路に対して並列に結線された配線と、
を含む横型のハーフブリッジ構造を有することを特徴とする請求項１ないし１６のいずれか１項に記載の照明制御装置。
【請求項２０】
前記照明灯は、誘導性負荷を有する照明灯、誘導性負荷に接続された照明灯、または抵抗性負荷を有する照明灯であることを特徴とする請求項１ないし１９のいずれか１項に記載の照明制御装置。
【請求項２１】
前記誘導性負荷を有する照明灯は、放電灯であることを特徴とする請求項２０に記載の照明制御装置。
【請求項２２】
前記放電灯は、蛍光灯、水銀灯、ナトリウム灯、またはネオン灯であることを特徴とする請求項２１に記載の照明制御装置。
【請求項２３】
前記誘導性負荷に接続された照明灯は、白熱灯またはＬＥＤにリアクトルを接続したものであることを特徴とする請求項２０に記載の照明制御装置。
【請求項２４】
前記抵抗性負荷を有する照明灯は、白熱灯であることを特徴とする請求項２０に記載の照明制御装置。
【発明の詳細な説明】
【技術分野】
【０００１】
本発明は、照明制御装置に関するものである。
【背景技術】
【０００２】
逆阻止能力を持たない、逆導通型の４つの素子を用いて順逆両方向の電流をゲート制御のみでＯＮ／ＯＦＦ可能であり、かつ電流を遮断した際の電流の持つ磁気エネルギーをコンデンサに蓄積し、ＯＮゲートが与えられた素子を通して負荷側に放出することで磁気エネルギーをロスなく回生できるスイッチが提案されている（特許文献１参照）。このスイッチは、電流順逆両方向制御が可能なロスの少ない磁気エネルギー回生スイッチであり、ＭＥＲＳ（Ｍａｇｎｅｔｉｃ  Ｅｎｅｒｇｙ  Ｒｅｃｏｖｅｒｙ  Ｓｗｉｔｃｈ：磁気エネルギー回生スイッチ)と呼ばれている。特許文献１では、フルブリッジ型のＭＥＲＳを開示している。【０００３】
ＭＥＲＳには、逆阻止能力を持たない素子として、たとえばパワーＭＯＳＦＥＴやダイオードを逆並列接続したトランジスタなどの順方向制御が可能な素子が用いられている。ＭＥＲＳは、この半導体素子４つで構成されるブリッジ回路と、ブリッジ回路の正極、負極に磁気エネルギーを吸収、放出するコンデンサを接続して構成される。そして、ＭＥＲＳは、これら４つの半導体素子のゲート位相の制御を行うことで、電流をどちらの方向にも流すことが可能となっている。【０００４】
また、ＭＥＲＳは、ブリッジ接続された４つの半導体素子のうち、対角線上に位置する２つの半導体素子がペアとなり、２つのペアのＯＮ／ＯＦＦの切換動作を電源の周波数に同期して行い、一方のペアがＯＮの時は他方のペアがＯＦＦとなるように動作する。また、このＯＮ／ＯＦＦの切換タイミングに合わせて、コンデンサが磁気エネルギーの充放電を繰り返す。【０００５】
そして、一方のペアにＯＦＦゲートが与えられ、他方のペアにＯＮゲートが与えられると、順方向に導通していた電流は他方のペアの第１のダイオード−コンデンサ−他方のペアの第２のダイオードという経路で流れ、これによりコンデンサを充電する。すなわち、回路の磁気エネルギーがコンデンサに蓄積される。電流遮断時の回路の磁気エネルギーは、コンデンサの電圧が上昇して電流がゼロになるまでコンデンサに蓄積される。コンデンサ電流がゼロになるまでコンデンサの電圧が上昇すると、電流の遮断が完了する。この時点で他方のペアには既にＯＮゲートが与えられているため、ＯＮしている半導体素子を通してコンデンサの電荷が負荷側に放電され、コンデンサに蓄積された磁気エネルギーが負荷側に回生される。【０００６】
このように、ＭＥＲＳは、４つの半導体素子のうち対角線上に位置する２つの半導体素子からなるペア２つのＯＮ／ＯＦＦのゲート位相を制御することで、ＭＥＲＳの出力電圧の大きさと電流の位相を任意に制御することが可能であり、これにより所望の力率を得ることができる。
【特許文献１】特許第３６３４９８２号公報
【発明の開示】
【発明が解決しようとする課題】
【０００７】
ところで、近年、大気汚染や地球温暖化などの環境問題が特に深刻化してきており、環境問題への取り組みとして、消費エネルギー量の低減（省エネ）が盛んに図られるようになってきている。【０００８】
たとえば、日本における主な電力供給源の一つとして火力発電があるが、火力発電では、石油、石炭、天然ガスなどの燃料の燃焼に伴って、地球温暖化の原因となる二酸化炭素や、大気汚染の原因となる硫黄酸化物、窒素酸化物などが排出される。そのため、消費電力の削減によって、温室効果ガスや大気汚染の原因となる物質の排出が削減され、これが地球環境に与える負荷の低減につながることが期待されている。【０００９】
省エネへの取り組みの一つとしては、たとえば、インバータ方式の蛍光灯とこのインバータ方式の蛍光灯を所望の輝度まで調整制御する制御装置とを備えた照明灯制御装置が提案されている。この照明灯制御装置によれば、ユーザがインバータ方式の蛍光灯を所望の輝度まで制御することができ、無駄な電力消費を抑えることができる。しかしながら、照明灯の点灯使用時の輝度を調整制御するためには調光制御対応の高価なインバータ方式の蛍光灯を採用しなければならず、また調光制御対応のインバータ方式の蛍光灯以外の既存の蛍光灯や、水銀灯、ナトリウム灯などの放電灯では減光方向に調光することが困難である。また、誘導性負荷を有しない照明灯についても、無駄な電力消費を抑える必要がある。【００１０】
たとえば、道路用の照明灯には光量が大きく寿命の長い水銀灯やナトリウム灯などの放電灯が多く使用されており、これらの放電灯を減光方向に調光制御する機構が提供されていない。そのため、現状では、道路用照明灯は道路上に車両が存在しない場合であっても常時定格点灯している。したがって、無駄な電力を消費していることとなる。【００１１】
また、たとえばトンネルや、公園、建物内の通路などにおいても、車両や人の存在が全くない状態であるにもかかわらず、放電灯を点灯状態に維持していることが多く、無駄に電力が消費されている。【００１２】
本発明はこうした状況に鑑みてなされたものであり、その目的は、照明灯を減光制御して、無駄な電力消費を削減することができる技術の提供にある。
【課題を解決するための手段】
【００１３】
上記課題を解決するために、本発明のある態様は照明制御装置であり、この照明制御装置は、照明灯と電源との間に接続され、電源から照明灯に出力される、照明灯を点灯するための負荷電力を調整する負荷電力調整スイッチと、負荷電力調整スイッチを制御する調光制御部と、照明灯の周囲の状況を検知する状況検知手段と、を備え、調光制御部は、照明灯が定格点灯時の輝度未満の輝度で点灯する待機点灯状態となるように負荷電力を調整し、状況検知手段の検知結果に応じて、照明灯が待機点灯状態における輝度以上の輝度で点灯する状態となるように負荷電力を調整すべく、負荷電力調整スイッチを制御することを特徴とする。
【発明の効果】
【００１４】
本発明によれば、照明灯を減光制御して、無駄な電力消費を削減することができる。
【図面の簡単な説明】
【００１５】
【図１】ＭＥＲＳ組み込みシステムの基本構成を示す図である。
【図２】図２（ａ）、（ｂ）は、制御部によるＭＥＲＳのスイッチング制御を説明するための図である。
【図３】図３（ａ）、（ｂ）は、制御部によるＭＥＲＳのスイッチング制御を説明するための図である。
【図４】図４（ａ）、（ｂ）は、制御部によるＭＥＲＳのスイッチング制御を説明するための図である。
【図５】図５（ａ）、（ｂ）、（ｃ）、（ｄ）は、ＭＥＲＳ組み込みシステムの動作結果を説明するための図である。
【図６】ＭＥＲＳの他の態様を示す図である。
【図７】ＭＥＲＳの他の態様を示す図である。
【図８】実施形態１に係る照明制御装置の構成を示す概略図である。
【図９】調光制御部の概略構成を説明する機能ブロック図である。
【図１０】交通量と照明灯の必要輝度との関係を示す図である。
【図１１】実施形態２に係る照明制御装置の構成を示す概略図である。
【図１２】調光制御部の概略構成を説明する機能ブロック図である。
【符号の説明】
【００１６】
１０  ＭＥＲＳ組み込みシステム、  ２０  交流電圧源、  ３０  磁気エネルギー回生スイッチ（ＭＥＲＳ）、  ３２、３３、３４、３５、３６  コンデンサ、  ４０  制御部、  ５０  誘導性負荷、  ６０  照明灯、  ７０  調光制御部、  ７２  センサ値取得部、  ７４  参照テーブル保持部、  ７６  待機点灯パラメータ保時部、  ７８  待機点灯パラメータ変更指示部、  ７９  電流監視部、  ８０  交通量検知センサ、  ９０  人感センサ、  １００  照明制御装置、  Ｃ  車両、  Ｄ１、Ｄ２  ダイオード、  ＳＷ１、ＳＷ２、ＳＷ３、ＳＷ４、ＳＷ５、ＳＷ６、ＳＷ７、ＳＷ８  逆導通型半導体スイッチ。
【発明を実施するための最良の形態】
【００１７】
以下、本発明を好適な実施の形態をもとに図面を参照しながら説明する。各図面に示される同一または同等の構成要素、部材、処理には、同一の符号を付するものとし、適宜重複した説明は省略する。また、実施の形態は、発明を限定するものではなく例示であって、実施の形態に記述されるすべての特徴やその組み合わせは、必ずしも発明の本質的なものであるとは限らない。【００１８】
（実施形態１）
本実施形態に係る照明制御装置は、照明灯と電源との間に接続され、電源から照明灯に出力される、照明灯を点灯するための負荷電力を調整する負荷電力調整スイッチと、負荷電力調整スイッチを制御する調光制御部と、照明灯の周囲の状況を検知する状況検知手段と、を備える。負荷電力調整スイッチは、たとえば磁気エネルギー回生スイッチ(Ｍａｇｎｅｔｉｃ  Ｅｎｅｒｇｙ  Ｒｅｃｏｖｅｒｙ  Ｓｗｉｔｃｈ：ＭＥＲＳ)（以下、ＭＥＲＳと称する）である。調光制御部は、照明灯が定格点灯時の輝度未満の輝度で点灯する待機点灯状態となるように負荷電力を調整し、状況検知手段の検知結果に応じて、照明灯が待機点灯状態における輝度以上の輝度で点灯する状態となるように負荷電力を調整すべく、負荷電力調整スイッチを制御する。これにより、照明灯の設置された場所における外界の状況に応じて照明灯の輝度を調節する。その結果、無駄な電力消費を削減することができる。【００１９】
まず、負荷電力調整スイッチとしてのＭＥＲＳの構成および動作を説明する。本実施形態では、ＭＥＲＳを交流電圧源と誘電性負荷との間に直列に接続したＭＥＲＳ組み込みシステムを例に説明する。なお、ＭＥＲＳは交流電圧源に組み込むことで交流電源装置を構成することができ、また誘導性負荷に組み込むことでＭＥＲＳ組み込み負荷を構成することができる。【００２０】
図１は、ＭＥＲＳ組み込みシステム１０の基本構成を示す図である。  
図１において、ＭＥＲＳ組み込みシステム１０は、交流電圧源２０と、インダクタンスのある誘導性負荷５０を備える。交流電圧源２０と誘導性負荷５０との間には、ＭＥＲＳ３０が挿入されている。また、ＭＥＲＳ組み込みシステム１０は、ＭＥＲＳ３０のスイッチングを制御する制御部４０を備える。【００２１】
ＭＥＲＳ３０は、順逆両方向の電流を制御可能であり、磁気エネルギーをロスなく負荷側に回生できる磁気エネルギー回生スイッチである。ＭＥＲＳ３０は、４つの逆導通型半導体スイッチＳＷ１、ＳＷ２、ＳＷ３、ＳＷ４にて構成されるブリッジ回路と、ブリッジ回路のスイッチ遮断時に回路に流れる電流の磁気エネルギーを吸収するエネルギー蓄積用のコンデンサ３２とを備える。【００２２】
ブリッジ回路は、逆導通型半導体スイッチＳＷ１と逆導通型半導体スイッチＳＷ４とが直列に接続され、逆導通型半導体スイッチＳＷ２と逆導通型半導体スイッチＳＷ３とが直列に接続され、それらが並列に接続されて形成されている。【００２３】
コンデンサ３２は、逆導通型半導体スイッチＳＷ１と逆導通型半導体スイッチＳＷ３との接続点にある直流端子ＤＣ（Ｐ）と、逆導通型半導体スイッチＳＷ２と逆導通型半導体スイッチＳＷ４との接続点にある直流端子ＤＣ（Ｎ）とに接続されている。また、逆導通型半導体スイッチＳＷ１と逆導通型半導体スイッチＳＷ４との接続点にある交流端子と、逆導通型半導体スイッチＳＷ２と逆導通型半導体スイッチＳＷ３との接続点にある交流端子とには交流電圧源２０と誘導性負荷５０とが直列接続されている。【００２４】
ＭＥＲＳ３０に配設された対角線上に位置する逆導通型半導体スイッチＳＷ１、ＳＷ２からなる第１のペアと、同じく対角線上に位置する逆導通型半導体スイッチＳＷ３、ＳＷ４からなる第２のペアが、電源周波数に同期して交互にＯＮ／ＯＦＦされる。すなわち、片方のペアがＯＮのとき他方のペアはＯＦＦとなる。そして、たとえば第１のペアにＯＦＦゲートが与えられ、第２のペアにＯＮゲートが与えられると、順方向に導通していた電流が第２のペアの逆導通型半導体スイッチＳＷ３−コンデンサ３２−逆導通型半導体スイッチＳＷ４という経路で流れ、これによりコンデンサ３２が充電される。すなわち、回路の磁気エネルギーがコンデンサ３２に蓄積される。【００２５】
電流遮断時の回路の磁気エネルギーは、コンデンサ３２の電圧が上昇して電流がゼロになるまでコンデンサに蓄積され、コンデンサ電流がゼロになるまでコンデンサ３２の電圧が上昇すると、電流の遮断が完了する。この時点で第２のペアには既にＯＮゲートが与えられているため、ＯＮしている逆導通型半導体スイッチＳＷ３、ＳＷ４を通してコンデンサ３２の電荷が誘導性負荷５０に放電され、コンデンサ３２に蓄積された磁気エネルギーが誘導性負荷５０に回生される。【００２６】
電流のＯＮ／ＯＦＦ時、誘導性負荷５０にはパルス電圧が印加されるが、電圧の大きさはコンデンサ３２の静電容量に応じて逆導通型半導体スイッチＳＷ１〜ＳＷ４と誘導性負荷５０の耐電圧許容範囲内とすることができる。また、ＭＥＲＳ３０には、従来の直列力率改善コンデンサと異なり、直流のコンデンサを用いることができる。逆導通型半導体スイッチＳＷ１〜ＳＷ４は、たとえばパワーＭＯＳＦＥＴからなり、それぞれゲートＧ１、Ｇ２、Ｇ３、Ｇ４を有する。逆導通型半導体スイッチＳＷ１〜ＳＷ４のチャネルには、それぞれボディダイオードが並列接続されている。【００２７】
ＭＥＲＳ３０には、ボディダイオードに加えて、逆導通型半導体スイッチＳＷ１〜ＳＷ４と逆並列にダイオードを加えてもよい。なお、逆導通型半導体スイッチＳＷ１〜ＳＷ４としては、たとえばＩＧＢＴやダイオードを逆並列接続したトランジスタなどの素子を用いることもできる。【００２８】
制御部４０は、ＭＥＲＳ３０の逆導通型半導体スイッチＳＷ１〜ＳＷ４のスイッチングを制御する。具体的には、ＭＥＲＳ３０のブリッジ回路における対角線上に位置する逆導通型半導体スイッチＳＷ１、ＳＷ２からなるペアのＯＮ／ＯＦＦ動作と、逆導通型半導体スイッチＳＷ３、ＳＷ４からなるペアのＯＮ／ＯＦＦ動作とを、一方がＯＮのとき他方がＯＦＦとなるように、半サイクル毎にそれぞれ同時に行うようゲートＧ１〜Ｇ４に制御信号を送信する。【００２９】
続いて、制御部４０によるＭＥＲＳ３０のスイッチング制御について詳細に説明する。図２（ａ）、（ｂ）、図３（ａ）、（ｂ）、図４（ａ）、（ｂ）は、制御部４０によるＭＥＲＳ３０のスイッチング制御を説明するための図である。【００３０】
まず、コンデンサ３２に充電電圧がない状態で、制御部４０が逆導通型半導体スイッチＳＷ１、ＳＷ２をＯＮにした場合、図２（ａ）に示すように、電流は逆導通型半導体スイッチＳＷ３、ＳＷ１を通る経路と、逆導通型半導体スイッチＳＷ２、ＳＷ４を通る経路を流れ、並列導通状態となる。【００３１】
次に、交流電圧源２０の電圧が反転する前の所定のタイミング、たとえば約２ｍｓ前に、制御部４０は逆導通型半導体スイッチＳＷ１、ＳＷ２をＯＦＦにする。これにより、図２（ｂ）に示すように、電流は逆導通型半導体スイッチＳＷ３−コンデンサ３２−逆導通型半導体スイッチＳＷ４を通る経路を流れる。その結果、コンデンサ３２に磁気エネルギーが吸収（充電）される。本実施形態では、逆導通型半導体スイッチＳＷ１、ＳＷ２をＯＦＦにするタイミングで、逆導通型半導体スイッチＳＷ３、ＳＷ４をＯＮにしている。【００３２】
コンデンサ３２の充電が完了すると、すなわちコンデンサ３２の電圧が所定値以上となると、電流は遮断される。そして、交流電圧源２０の電圧が反転すると、逆導通型半導体スイッチＳＷ３、ＳＷ４は既にＯＮであり、またコンデンサ３２に充電電圧があるため、図３（ａ）に示すように、電流は逆導通型半導体スイッチＳＷ４−コンデンサ３２−逆導通型半導体スイッチＳＷ３を通る経路を流れる。そして、コンデンサ３２に蓄積した磁気エネルギーが放出（放電）される。【００３３】
次に、コンデンサ３２からの放電が終了すると、図３（ｂ）に示すように、電流は逆導通型半導体スイッチＳＷ１、ＳＷ３を通る経路と、逆導通型半導体スイッチＳＷ４、ＳＷ２を通る経路を流れ、並列導通状態となる。【００３４】
次に、交流電圧源２０の電圧が反転する前の所定のタイミングで、制御部４０は逆導通型半導体スイッチＳＷ３、ＳＷ４をＯＦＦにする。これにより、図４（ａ）に示すように、電流は逆導通型半導体スイッチＳＷ１−コンデンサ３２−逆導通型半導体スイッチＳＷ２を通る経路を流れる。その結果、コンデンサ３２に磁気エネルギーが吸収される。本実施形態では、逆導通型半導体スイッチＳＷ３、ＳＷ４をＯＦＦにするタイミングで、逆導通型半導体スイッチＳＷ１、ＳＷ２をＯＮにしている。【００３５】
コンデンサ３２の充電が完了すると電流は遮断され、そして交流電圧源２０の電圧が反転すると、逆導通型半導体スイッチＳＷ１、ＳＷ２は既にＯＮであり、またコンデンサ３２に充電電圧があるため、図４(ｂ)に示すように、電流は逆導通型半導体スイッチＳＷ２−コンデンサ３２−逆導通型半導体スイッチＳＷ１を通る経路を流れる。そして、コンデンサ３２に蓄積した磁気エネルギーが放電される。コンデンサ３２からの放電が終了すると、図２（ａ）に示す並列導通状態となり、以後これを繰り返す。このように、ＭＥＲＳ３０は対向するペア２組の逆導通型半導体スイッチを交互に導通状態にすることにより、双方向に電流を流すことができる。【００３６】
このようなＭＥＲＳ３０のスイッチング制御を行うことで、次のような効果が得られる。図５（ａ）、（ｂ）、（ｃ）、（ｄ）は、ＭＥＲＳ組み込みシステム１０の動作結果を説明するための図である。図５（ａ）は、ＭＥＲＳ３０が組み込まれていない場合の電源電圧と電流の波形を示し、図５（ｂ）は、ＭＥＲＳ３０が組み込まれた場合の電源電圧、電流、負荷電圧の波形を示している。また、図５（ｃ）はコンデンサ電圧と逆導通型半導体スイッチＳＷ１を流れる電流の波形を示し、図５（ｄ）は逆導通型半導体スイッチＳＷ１がＯＮになるタイミングを示している。【００３７】
図５（ａ）に示すように、ＭＥＲＳ３０が組み込まれていない場合、誘導性負荷５０の影響により、電流の位相が電源電圧の位相よりも遅れている。そのため交流電圧源２０の力率は１より小さい。一方、交流電圧源２０と誘導性負荷５０との間にＭＥＲＳ３０を直列に挿入した場合には、図５（ｂ）に示すように電流の位相を進ませることができるため、交流電圧源２０の力率を１とすることが可能である。【００３８】
すなわち、ＭＥＲＳ３０は、逆導通型半導体スイッチＳＷ１〜ＳＷ４の対角線上のペア２組のゲート位相を調整することで、誘導性負荷５０の磁気エネルギーをコンデンサ３２に蓄えて、電流の位相を進ませ、これにより交流電圧源２０の力率を１にすることが可能である。また、ＭＥＲＳ３０は、電流の位相を進ませるだけでなく、電流の位相を任意に制御することが可能であり、これにより任意に力率を調整することができる。さらに、誘導性負荷５０の磁気エネルギーをコンデンサ３２に貯え、蓄えた磁気エネルギーを誘導性負荷５０に回生することにより、負荷電圧を無段階に増減させることが可能である。【００３９】
また、図５（ｃ）および図５（ｄ）に示すように、逆導通型半導体スイッチＳＷ１がＯＮになるタイミングでは、コンデンサ電圧は０であり、逆導通型半導体スイッチＳＷ１を流れる電流は、並列導通時に逆導通型半導体スイッチＳＷ１のダイオードを流れる電流である。逆導通型半導体スイッチＳＷ１がＯＦＦになるタイミングにおいてもコンデンサ電圧は０である。すなわち、０電圧、０電流でスイッチングされており、そのためスイッチングによる損失を無くすことができる。他の３つの逆導通型半導体スイッチＳＷ２〜ＳＷ４については、逆導通型半導体スイッチＳＷ１と同期してスイッチングしているため、同様の結果となる。【００４０】
コンデンサ３２の充放電周期は、誘導性負荷５０とコンデンサ３２との共振周期の半周期分であり、スイッチング周期が誘導性負荷５０とコンデンサ３２との共振周期より長い時には、ＭＥＲＳ３０は常に０電圧０電流スイッチング、すなわちソフトスイッチングが可能である。【００４１】
ＭＥＲＳ３０に用いられるコンデンサ３２は、従来の電圧型インバータと異なり、回路にあるインダクタンスの磁気エネルギーを蓄積するためだけのものである。そのため、コンデンサ容量を従来の電圧型インバータの電圧源コンデンサに比べて著しく小さくできる。コンデンサ容量は、負荷との共振周期がスイッチング周波数より短くなるように選定する。【００４２】
また、ＭＥＲＳ３０をゲートパルス発生装置として用いた場合、各ＭＥＲＳ３０に固有のＩＤナンバーを付与することができ、これを用いて外部からの制御信号を受信して各ＭＥＲＳ３０を制御することができる。たとえば、インターネットなどの通信回線を利用して無線で制御信号を送り、ＭＥＲＳ３０を無線制御できる。【００４３】
上述のＭＥＲＳ組み込みシステム１０では、ＭＥＲＳ３０は４つの逆導通型半導体スイッチＳＷ１〜ＳＷ４で形成されるブリッジ回路と、ブリッジ回路の直流端子間に接続されたコンデンサ３２とからなる構成であったが、ＭＥＲＳ３０は次のような構成であってもよい。【００４４】
図６および図７は、ＭＥＲＳ３０の他の態様を示す図である。  
図６に示すＭＥＲＳ３０は、上述の４つの逆導通型半導体スイッチＳＷ１〜ＳＷ４と１つのコンデンサ３２とからなるフルブリッジ型のＭＥＲＳ３０に対して、２つの逆導通型半導体スイッチと２つのダイオード、および２つのコンデンサで構成される縦型のハーフブリッジ型となっている。【００４５】
より詳細には、この縦型ハーフブリッジ構造のＭＥＲＳ３０は、直列に接続された２つの逆導通型半導体スイッチＳＷ５、ＳＷ６と、この２つの逆導通型半導体スイッチＳＷ５、ＳＷ６と並列に設けられた、直列に接続された２つのコンデンサ３３、３４と、この２つのコンデンサ３３、３４それぞれと並列に接続された２つのダイオードＤ１、Ｄ２と、を含んでいる。【００４６】
図７に示すＭＥＲＳ３０は、横型のハーフブリッジ型である。横型のハーフブリッジ型ＭＥＲＳは、２つの逆導通型半導体スイッチと２つのコンデンサで構成されている。  
より詳細には、この横型のハーフブリッジ構造ＭＥＲＳ３０は、第１の経路上に直列に設けられた逆導通型半導体スイッチＳＷ７およびコンデンサ３５と、第１の経路と並列な第２の経路上に直列に設けられた逆導通型半導体スイッチＳＷ８およびコンデンサ３６と、第１、第２の経路に対して並列に結線された配線と、を含んでいる。【００４７】
続いて、本実施形態に係る照明制御装置について説明する。  
図８は、実施形態１に係る照明制御装置の構成を示す概略図である。【００４８】
図８に示すように、本実施形態の照明制御装置１００は、道路用の照明灯６０（６０ａ〜６０ｈ）のそれぞれと交流電圧源２０との間に、ＭＥＲＳ３０（３０ａ〜３０ｈ）を設けた構成である。照明灯６０は、たとえば誘導性負荷を有する照明灯、誘導性負荷に接続された照明灯、または抵抗性負荷を有する照明灯である。誘導性負荷を有する照明灯としては、たとえば放電灯などが挙げられる。放電灯は、たとえば蛍光灯、水銀灯、ナトリウム灯、またはネオン灯である。また、誘導性負荷に接続された照明灯としては、誘導性負荷を持たない白熱灯、ＬＥＤなどの光源にリアクトルを接続したものが挙げられる。また、抵抗性負荷を有する照明灯は、抵抗性負荷のみの照明灯であり、白熱灯などが挙げられる。本実施形態では、照明灯６０に放電灯を用いた場合を例に説明する。【００４９】
また、照明制御装置１００は、ＭＥＲＳ３０のゲート位相角を制御してＭＥＲＳ３０の出力電圧の大きさと電流の位相を調整するための調光制御部７０（７０ａ〜７０ｈ）を備える。また、照明制御装置１００は、照明灯６０の周囲の状況を検知する状況検知手段として交通量検知センサ８０を備える。状況検知手段は、たとえば照明灯６０を基準とした所定範囲における外界の状況を検知する。【００５０】
図９は、調光制御部７０の概略構成を説明する機能ブロック図である。  
図９に示すように、調光制御部７０は、逆導通型半導体スイッチＳＷ１〜ＳＷ４のゲートＧ１〜Ｇ４に制御信号を送信し、ＭＥＲＳ３０の出力電圧の大きさと電流の位相を調整する制御部４０を備える。また、調光制御部７０は、交通量検知センサ８０の検知結果を受信し、制御部４０に送信するセンサ値取得部７２と、制御部４０が出力電圧の大きさと電流の位相を変更する際に参照するテーブルを保持する参照テーブル保持部７４を備える。また、調光制御部７０は、照明灯６０が定格点灯時の輝度未満の輝度で点灯する待機点灯状態にある際の負荷電力などのパラメータを保持する待機点灯パラメータ保時部７６を備える。さらに調光制御部７０は、電流監視部７９からの情報に応じて待機点灯パラメータ保時部７６に保持された待機点灯時のパラメータを変更するように制御部４０に指示する待機点灯パラメータ変更指示部７８を備える。【００５１】
交通量検知センサ８０は、照明灯６０の照射領域の車両進行方向上流側の交通量を検知し、検知結果を各調光制御部７０に送信している。ここで、前記「交通量」には、道路上に停駐車している車両を含めてもよい。また、交通量検知センサ８０は、たとえばＭＥＲＳ３０による負荷電力の変更速度と車両の規定走行速度とによって決まる所定範囲を検知する。交通量検知センサ８０としては、道路交通情報通信システム（Ｖｅｈｉｃｌｅ  Ｉｎｆｏｒｍａｔｉｏｎ  ａｎｄ  Ｃｏｍｍｕｎｉｃａｔｉｏｎ  Ｓｙｓｔｅｍ：ＶＩＣＳ）などの既存のシステムあるいはセンサを用いることができる。なお、図８では、交通量検知センサ８０は１つだけ示しているが、交通量検知センサ８０の数は特に限定されず、複数の交通量検知センサ８０を設けて各場所を検知してもよい。【００５２】
続いて、照明制御装置１００の動作について説明する。  
照明制御装置１００では、交通量検知センサ８０の検知結果に基づいて、調光制御部７０の制御部４０がＭＥＲＳ３０を制御し、ＭＥＲＳ３０の出力電圧および電流の位相を変更して照明灯６０を点灯するための負荷電力を調整している。【００５３】
通常、調光制御部７０は、照明灯６０が定格点灯時の輝度未満の輝度で点灯する待機点灯状態となるように、ＭＥＲＳ３０の出力電圧と電流の位相を制御して負荷電力を調整している。待機点灯状態で照明灯６０に出力される負荷電力は、たとえば定格点灯時の負荷電力未満であり、かつ照明灯６０が安定的な放電を維持し得る最低の負荷電力である最低負荷電力以上であって、定格点灯時の負荷電力よりも最低負荷電力に近い電力に設定されている。本実施形態では、待機点灯時の負荷電力は、最低負荷電力に、より確実に安定放電状態を維持できるように所定量の電力を上乗せした電力であって、さらに照明灯６０の照射範囲内にある物体が所定距離から視認可能な程度の照度となる負荷電力である。ここで、前記「安定的に放電」とは、たとえばフリッカーなどのちらつきが生じない放電状態である。制御部４０は、待機点灯パラメータ保時部７６に格納されている待機点灯時の負荷電力を参照して、ＭＥＲＳ３０の出力電圧の大きさと電流の位相を調整する。【００５４】
そして、交通量検知センサ８０の検知結果に応じて、待機点灯状態における輝度以上の輝度で照明灯６０が点灯するように負荷電力を調整する。このように、通常は待機点灯状態にしておき、交通量の変化に応じて照明灯６０の輝度を増大または減少させることで、無駄な電力消費を削減できる。交通量検知センサ８０の検知結果に応じた照明灯６０の輝度の制御方法としては、たとえば次のような方法がある。【００５５】
調光制御部７０は、図１０に示す、必要とされる照明灯６０の輝度と交通量との関係に基づいて照明灯６０への負荷電力を調整する。図１０は、交通量と照明灯６０の必要輝度との関係を示す図である。【００５６】
図１０に示すように、照明灯６０の必要輝度、たとえば夜間走行時における車両Ｃの所望の安全性を満たすために必要とされる最低限の輝度は、車両Ｃの交通量に応じて規定することができる。すなわち、車両Ｃが存在しない場合には、所定距離だけ離れた位置から道路の存在を確認できるように、照明灯６０の輝度は、照明灯６０の照射範囲内にある道路が所定距離から視認可能となる前述の待機点灯状態における輝度であればよい。また、車両Ｃの交通量が少ない場合には、車両同士の接触などの事故の起こる可能性も低く、走行している車両Ｃの前照灯による道路およびその周辺への照射によって、車両Ｃの安全性をある程度確保することができる。そのため、照明灯６０の輝度は、待機点灯状態の輝度以上ではあるが、比較的低くすることができる。【００５７】
一方、車両Ｃの交通量が多くなると、車両Ｃの安全性は低くなり、安全性を確保するために運転者が他車両の存在をより明確に、またより早期に視認できるようにする必要がある。そのため、照明灯６０の輝度の下限値は交通量の増加に応じて高くなる。そして、さらに交通量が多くなった場合には、多数の車両Ｃの前照灯によって道路およびその周辺が照射されることとなり、道路の照度が高まって運転者の視認性もある程度確保することができる。そのため、照明灯６０の輝度の下限値は、所定の交通量ａの時点での輝度をピークとして徐々に低くなる。【００５８】
そこで、調光制御部７０は、照明灯６０の照射領域の車両進行方向上流側の車両Ｃの交通量が第１の所定量である所定量ａになるまでは、交通量の増加に応じて照明灯６０の輝度が増大するように、ＭＥＲＳ３０の出力電圧の大きさと電流の位相を変更して負荷電力を連続的に、すなわち無段階に調整する。そして、車両Ｃの交通量が所定量ａ以上となった場合には、交通量の増加に応じて照明灯６０の輝度が減少するように、ＭＥＲＳ３０の出力電圧の大きさと電流の位相を変更して負荷電力を無段階に調整する。また、調光制御部は、車両Ｃの交通量が第２の所定量である所定量ａとなるまでは、交通量の減少に応じて照明灯６０の輝度が増大し、車両Ｃの交通量が所定量ａ未満となった場合には、交通量の減少に応じて照明灯６０の輝度が減少するように、ＭＥＲＳ３０の出力電圧の大きさと電流の位相を調整して負荷電力を無段階に調整する。【００５９】
参照テーブル保持部７４には、図１０に示す照明灯６０の必要輝度と交通量との関係を記したテーブルが格納されており、制御部４０は、このテーブルを参照してゲートＧ１〜Ｇ４に制御信号を送信してＭＥＲＳ３０の出力電圧の大きさと電流の位相を変更する。ここで、前記「所定量」とは、たとえば車両事故が発生する確率の最も高い交通量であり、統計的に求めることができる。あるいは、前記「所定量」は実験的に求めてもよい。また、第１の所定量と第２の所定量は異なっていてもよく、交通量の増加に応じた輝度調整と交通量の減少に応じた輝度調整とでは、異なる参照テーブルを用いて異なる変化態様となるように調整を行ってもよい。なお、状況に応じて、負荷電力を段階的に調整してもよい。【００６０】
図８は、交通量の少ない照明灯６０ｇ、６０ｈの領域から交通量が所定量ａである照明灯６０ａ〜６０ｃの領域にかけて交通量が増加している状態を示している。照明灯６０ａ〜６０ｃは、輝度１００％、すなわち定格点灯時の点灯状態であり、照明灯６０ｄ〜６０ｆは、輝度約７０％、すなわち定格点灯時の０．７倍相当の点灯状態であり、照明灯６０ｇ、６０ｈは、輝度約６０％、すなわち定格点灯時の０．６倍相当の点灯状態となっている。調光制御部７０は、車両Ｃが存在しない場合には、待機点灯時の輝度となるようにＭＥＲＳ３０の出力電圧の大きさと電流の位相を制御する。【００６１】
このように、照明制御装置１００では、交流電圧源２０と照明灯６０との間にＭＥＲＳ３０を接続し、調光制御部７０によってＭＥＲＳ３０の出力電圧の大きさと電流の位相を変更して負荷電力を調整している。そのため、交通量に応じた照明灯６０の調光制御が可能となり、無駄な電力消費を抑えることができる。なお、本実施形態では、待機点灯時の負荷電力は、照明灯６０の照射範囲内にある道路が所定距離から視認可能な程度の照度となる負荷電力としているが、道路を所定距離から視認可能にする必要がない場合には、待機点灯時の負荷電力を下限である最低負荷電力としてもよい。この場合には、さらなる電力消費の削減が可能となる。【００６２】
ここで、無駄な電力消費を削減する１つの方法としては、複数ある照明灯６０の一部を消灯することで、照明灯６０全体としての消費電力を低減する方法が考えられる。しかしながら、この場合には、個々の照明灯６０をＯＮ／ＯＦＦ制御するため、道路の照射領域が変わってしまい、運転者の視認性の確保などが困難になってしまうおそれがある。一方、本実施形態の照明制御装置１００の場合には、通常時は照明灯６０を待機点灯状態に維持しているため、道路の照射範囲を変えることなく無駄な電力消費を削減することができる。【００６３】
また、放電灯のうち、特に水銀灯もしくはナトリウム灯などでは、消灯後の再点灯に数分以上かかるため、照明灯６０をＯＮ／ＯＦＦ制御した場合には、短時間での輝度の増大、たとえば短時間での定格点灯状態への回復が困難である。これに対し、照明制御装置１００では、照明灯６０の放電が可能な最低限の電流を流すようにＭＥＲＳ３０の出力電圧の大きさと電流の位相を調整して照明灯６０の点灯状態を維持しているため、短時間での輝度の増大が可能となる。また、照明灯６０をＯＦＦにすることなく、その輝度をＭＥＲＳ３０によって減光することで、ＯＮ／ＯＦＦの繰り返しによる照明灯６０の寿命の短縮を抑制できる。【００６４】
照明灯６０の輝度を減少させる場合、たとえば、照明灯６０ａ〜６０ｃの領域のように車両Ｃの交通量が所定量ａの状態から、照明灯６０ｇ、６０ｈの領域のように車両Ｃの交通量が少ない状態へ、交通量が急激に変化した場合には、調光制御部７０は、照明灯６０の輝度を交通量の変化に追従して急激に変化させず、より長い時間をかけて下げるように制御してもよい。また、逆に交通量が急激に増大した場合にも、調光制御部７０は、図１１に示す関係を満たす範囲内で照明灯６０の輝度をより長い時間をかけて上げるように制御してもよい。すなわち、調光制御部７０は、単位時間あたりの輝度の変化量が所定値以下となるように、照明灯６０の輝度を変化させてもよい。これによれば、照明灯６０の輝度が急激に増減するのを防ぐことができ、照明灯６０の輝度の急激な変化によって運転者に与える不快なグレアや違和感を軽減することができる。なお、前記「所定値」は、たとえば運転者に不快なグレアや違和感を与えない変化量であり、これは実験的に求めることができる。【００６５】
また、照明灯６０は、経年劣化などにより電極が劣化し、電流が流れにくくなって輝度が低下していく。そのため、調光制御部７０が予め規定されたパラメータを用いて待機点灯状態になるようにＭＥＲＳ３０の出力電圧の大きさと電流の位相を調整した際に、待機点灯状態を維持できずに消灯してしまうおそれがある。そこで、調光制御部７０は、予め規定された待機点灯状態での負荷電力で照明灯６０が待機点灯状態を維持できなくなった場合に、待機点灯状態での負荷電力を増大させるようにＭＥＲＳ３０の出力電圧の大きさと電流の位相を調整する制御を行うようにしてもよい。この制御は、たとえば以下のようにして行うことができる。【００６６】
まず、電流計などの電流監視部７９によって、照明灯６０に流れる電流が監視されており、電流監視部７９が照明灯６０に流れる電流量が所定量以下になったことを検知すると、待機点灯パラメータ変更指示部７８に信号を送信する。電流監視部７９からの信号を受けた待機点灯パラメータ変更指示部７８は、制御部４０に対して、待機点灯時の負荷電力を変更するように指示する。制御部４０は、待機点灯パラメータ変更指示部７８から指示を受けると、ＭＥＲＳ３０の出力電圧の大きさと電流の位相を変更して照明灯６０に供給する負荷電力を増加させる。前記「所定量」は、待機点灯状態における電流量であり、待機点灯パラメータ保時部７６に保持されている。【００６７】
負荷電力の増加によって照明灯６０が点灯すると、待機点灯パラメータ変更指示部７８は、電流監視部７９からの監視結果によって照明灯６０が点灯したことを認識する。さらに、待機点灯パラメータ変更指示部７８は、たとえば時間の経過を監視することで、最低負荷電力に所定量の電力だけ増加して待機点灯時の負荷電力となったことを認識する。【００６８】
待機点灯パラメータ変更指示部７８は、待機点灯時の負荷電力となったことを認識すると、制御部４０に対してＭＥＲＳ３０の出力電圧の大きさと電流の位相の調整を停止するように指示する。待機点灯パラメータ変更指示部７８から停止指示を受けた制御部４０は、ＭＥＲＳ３０の出力電圧の大きさと電流の位相の調整を停止するとともに、その時点での負荷電力の値などを新たなパラメータとして待機点灯パラメータ保時部７６に格納する。【００６９】
この制御は、電流監視部７９の代わりに、あるいは電流監視部７９とともに照明灯６０の輝度を検知する照度センサなどの輝度検知センサを設け、待機点灯状態にある照明灯６０の輝度が所定値未満となったときに行うようにしてもよい。電流監視部７９および輝度検知センサを組み合わせた場合には、より精度よく照明灯６０の消灯を回避することができる。【００７０】
あるいは、この制御は、照明灯６０の使用時間が所定時間以上となったときに行うようにしてもよい。照明灯６０の使用時間は、たとえば調光制御部７０に記憶しておく。この場合には、より簡単な構成で、照明灯６０の消灯を回避することができる。【００７１】
なお、本実施形態の照明制御装置１００では、各照明灯６０に対してＭＥＲＳ３０と調光制御部７０とを設けているが、複数の照明灯６０に１組のＭＥＲＳ３０と調光制御部７０とを設け、これら複数の照明灯６０を一系統として系統毎に調光制御するようにしてもよい。【００７２】
以上、本実施形態に係る照明制御装置１００では、照明灯６０にＭＥＲＳ３０および調光制御部７０を設け、交通量検知センサ８０の検知結果に基づいて、ＭＥＲＳ３０の出力電圧の大きさと電流の位相を変更して照明灯６０の輝度を無段階に調整している。そのため、車両Ｃの交通量に応じた照明灯６０の調光が可能となり、無駄な電力の消費を削減することができる。また、本実施形態の照明制御装置１００では、照明灯６０と交流電圧源２０との間にＭＥＲＳ３０を組み込むだけであるため、調光制御対応のインバータ方式の蛍光灯以外の既存の照明灯であっても、調光制御を行うことができる。また、ＭＥＲＳ３０は簡単な構成であるため、その価格は安価である。そのため、照明制御装置１００を導入するコストは非常に低く抑えることができる。さらに、ＭＥＲＳ３０は上述のように簡単な構成であるため、そのサイズは小さい。そのため、既存の照明灯への設置を簡単に行うことができる。【００７３】
さらに、照明制御装置１００では、照明灯６０をＯＦＦにすることなく、その輝度をＭＥＲＳ３０によって調整することで道路の照度を調整している。そのため、ＯＮ／ＯＦＦの繰り返しによる照明灯６０の寿命の短縮を抑制でき、結果的に照明灯６０の長寿命化を図ることができる。また、交通量検知センサ８０としては、ＶＩＣＳなどの既存のシステムあるいはセンサなどを流用できるため、照明制御装置１００の導入コストを抑えることができる。【００７４】
また、ＭＥＲＳ３０の逆導通型半導体スイッチＳＷ１〜ＳＷ４が故障した場合は、交流電圧源２０と照明灯６０とが導通状態となるだけであり、ＭＥＲＳ３０の故障によって照明灯６０が点灯不能な状態に陥ることはない。そのため、既存の交流電圧源２０と照明灯６０との間にＭＥＲＳ３０を組み込んでも、それによる安全性の低下などの問題は生じない。【００７５】
（実施形態２）
本実施形態に係る照明制御装置１００は、公園の照明灯に適用した場合の例である。以下、本実施形態について説明する。なお、ＭＥＲＳ３０の構成および動作については、実施形態１と同様であるため、説明は省略する。また、その他実施形態１と同一の構成については同一の符号を付し、その説明は適宜省略する。【００７６】
図１１は、実施形態２に係る照明制御装置１００の構成を示す概略図である。  
図１１に示すように、本実施形態の照明制御装置１００は、公園内に設置された照明灯６０（６０ｉ〜６０ｋ）のそれぞれと交流電圧源２０との間に、ＭＥＲＳ３０（３０ｉ〜３０ｋ）を設けた構成である。照明灯６０は、たとえば誘導性負荷を有する照明灯、誘導性負荷に接続された照明灯、または抵抗性負荷を有する照明灯である。誘導性負荷を有する照明灯としては、たとえば放電灯などが挙げられる。放電灯は、たとえば蛍光灯、水銀灯、ナトリウム灯、またはネオン灯である。また、誘導性負荷に接続された照明灯としては、誘導性負荷を持たない白熱灯、ＬＥＤなどの光源にリアクトルを接続したものが挙げられる。また、抵抗性負荷を有する照明灯は、抵抗性負荷のみの照明灯であり、白熱灯などが挙げられる。本実施形態では、照明灯６０に放電灯を用いた場合を例に説明する。【００７７】
また、照明制御装置１００は、ＭＥＲＳ３０のゲート位相角を制御してＭＥＲＳ３０の出力電圧の大きさと電流の位相を調整するための調光制御部７０（７０ｉ〜７０ｋ）を備える。また、照明制御装置１００は、照明灯６０を基準とした所定範囲における外界の状況を検知する状況検知手段として人感センサ９０を備える。【００７８】
図１２は、調光制御部７０の概略構成を説明する機能ブロック図である。
図１２に示すように、調光制御部７０は、逆導通型半導体スイッチＳＷ１〜ＳＷ４のゲートＧ１〜Ｇ４に制御信号を送信してゲート位相を制御し、ＭＥＲＳ３０の出力電圧の大きさと電流の位相を調整する制御部４０を備える。また、調光制御部７０は、人感センサ９０の検知結果を受信し、制御部４０に送信するセンサ値取得部７２を備える。また、調光制御部７０は、照明灯６０が定格点灯時の輝度未満の輝度で点灯する待機点灯状態にある際の負荷電力などのパラメータを保持する待機点灯パラメータ保時部７６を備える。さらに調光制御部７０は、電流監視部７９からの情報に応じて待機点灯パラメータ保時部７６に保持された待機点灯時のパラメータを変更するように制御部４０に指示する待機点灯パラメータ変更指示部７８を備える。【００７９】
人感センサ９０は、照明灯６０の周囲における人の存在を検知し、検知結果を各調光制御部７０に送信している。人感センサ９０としては、公知のセンサを用いることができる。なお、図１１では、人感センサ９０は１つだけ示しているが、人感センサ９０の数は特に限定されず、たとえば各照明灯６０のハウジング内に人感センサ９０を設け、各場所を検知してもよい。【００８０】
続いて、照明制御装置１００の動作について説明する。  
照明制御装置１００では、人感センサ９０の検知結果に基づいて、調光制御部７０の制御部４０がＭＥＲＳ３０を制御し、ＭＥＲＳ３０の出力電圧の大きさと電流の位相を変更して照明灯６０を点灯するための負荷電力を調整している。【００８１】
通常、調光制御部７０は、照明灯６０が定格点灯時の輝度未満の輝度で点灯する待機点灯状態となるように、ＭＥＲＳ３０の出力電圧の大きさと電流の位相を変更して負荷電力を調整している。待機点灯状態で照明灯６０に出力される負荷電力は、たとえば定格点灯時の負荷電力未満であり、かつ照明灯６０が安定的な放電を維持し得る最低の負荷電力である最低負荷電力以上であって、定格点灯時の負荷電力よりも最低負荷電力に近くなるように設定されている。本実施形態では、待機点灯時の負荷電力は、最低負荷電力に、より確実に安定放電状態を維持できるように所定量の電力を上乗せした電力である。制御部４０は、待機点灯パラメータ保時部７６に格納されている待機点灯時の負荷電力を参照して、ＭＥＲＳ３０の出力電圧の大きさと電流の位相を調整する。【００８２】
そして、人感センサ９０の検知結果に応じて、人が検知された範囲に光照射する照明灯６０の輝度を、人が検知されなかった領域に光照射する照明灯６０の輝度と異ならせる。たとえば、人が検知された範囲に光照射する照明灯６０を、待機点灯状態における輝度以上の輝度で点灯させるように負荷電力を調整する。このように、通常は待機点灯状態にしておき、人Ｈの存在に応じて照明灯６０の輝度を増大させるようにすることで、無駄な電力消費を削減できる。なお、人が検知された範囲の輝度を他の範囲の輝度よりも下げるなど、状況に応じて適宜変更することができる。人感センサ９０の検知結果に応じた照明灯６０の輝度の制御方法としては、たとえば次のような方法がある。【００８３】
図１１に示すように、人感センサ９０によって人Ｈの存在が検知された範囲に光照射する照明灯６０ｊの輝度を制御する調光制御部７０ｊは、その輝度が、人感センサ９０によって人の存在が検知されなかった範囲に光照射する照明灯６０ｉ、６０ｋの輝度よりも大きくなるように、ＭＥＲＳ３０の出力電圧の大きさと電流の位相を変更して負荷電力を連続的、すなわち無段階に調整する。たとえば、調光制御部７０ｊは、輝度が１００％、すなわち定格点灯時の点灯状態となるようにＭＥＲＳ３０ｊを制御する。また、調光制御部７０ｉ、７０ｊは、たとえば待機点灯時の輝度となるようにＭＥＲＳ３０ｉ、３０ｋを制御する。なお、状況に応じて、負荷電力を段階的に調整してもよい。【００８４】
なお、人感センサ９０によって人の存在が検知されなかった範囲に光照射する照明灯６０の輝度については、待機点灯時の輝度に限定されず、待機点灯時の輝度より大きい輝度であってもよい。たとえば、待機点灯時の輝度が、照明灯６０の照射範囲内にある領域を所定距離から視認できない程度の輝度である場合には、照明灯６０の照射範囲内にある領域が所定距離から視認可能となる輝度としてもよい。この場合には、公園の存在を周囲に知らしめることが可能となる。【００８５】
また、人の存在が検知されなかった範囲に光照射する照明灯６０のうち、人Ｈの存在が検知された範囲に光照射する照明灯６０に隣接する照明灯６０については、残りの人の存在が検知されなかった範囲に光照射する照明灯６０よりもその輝度を大きくするようにするなど、人の存在が検知されなかった範囲に光照射する照明灯６０の輝度を多段階に調整するようにしてもよい。【００８６】
このように、照明制御装置１００では、交流電圧源２０と照明灯６０との間にＭＥＲＳ３０を接続し、調光制御部７０によってＭＥＲＳ３０の出力電圧の大きさと電流の位相を変更して負荷電力を調整している。そのため、人Ｈの存在に応じた照明灯６０の調光制御が可能となり、無駄な電力消費を抑えることができる。【００８７】
ここで、無駄な電力消費を削減する１つの方法としては、複数ある照明灯６０の一部を消灯することで、照明灯６０全体としての消費電力を低減する方法が考えられる。しかしながら、この場合には、個々の照明灯６０をＯＮ／ＯＦＦ制御するため、照射領域が変わってしまう可能性があり、また明暗の変化が著しいため見る者に強い違和感を与えるおそれがあり、好ましくない。一方、本実施形態の照明制御装置１００の場合には、通常時は照明灯６０を待機点灯状態に維持しているため、照射範囲を変えることなく、また見る者に与える違和感を抑えながら、無駄な電力消費を削減することができる。【００８８】
また、放電灯のうち、特に水銀灯あるいはナトリウム灯などでは、消灯後の再点灯に数分以上かかるため、照明灯６０をＯＮ／ＯＦＦ制御した場合には、短時間での輝度の増大、たとえば短時間での定格点灯状態への回復が困難である。これに対し、照明制御装置１００では、照明灯６０が安定的な放電を維持し得る最低の負荷電力を供給するようにＭＥＲＳ３０の出力電圧の大きさと電流の位相を調整して照明灯６０の点灯状態を維持しているため、短時間での輝度の増大が可能となる。また、照明灯６０をＯＦＦにすることなく、その輝度をＭＥＲＳ３０によって減光することで、ＯＮ／ＯＦＦの繰り返しによる照明灯６０の寿命の短縮を抑制できる。【００８９】
照明灯６０の輝度を減少させる場合には、調光制御部７０は、照明灯６０の輝度を人Ｈの移動に追従して急激に変化させず、より長い時間をかけて下げるように制御してもよい。また、輝度を増大させる場合にも、調光制御部７０は、照明灯６０の輝度をより長い時間をかけて上げるように制御してもよい。すなわち、調光制御部７０は、単位時間あたりの輝度の変化量が所定値以下となるように、照明灯６０の輝度を変化させてもよい。これによれば、照明灯６０の輝度が急激に増減するのを防ぐことができ、照明灯６０の輝度の急激な変化によって人Ｈに与える不快なグレアや違和感を軽減することができる。なお、前記「所定値」は、たとえば人Ｈに不快なグレアや違和感を与えない変化量であり、これは実験的に求めることができる。【００９０】
また、照明灯６０は、経年劣化などにより電極が劣化し、電流が流れにくくなって輝度が低下していく。そのため、調光制御部７０が予め規定されたパラメータを用いて待機点灯状態になるようにＭＥＲＳ３０の出力電圧の大きさと電流の位相を調整した際に、待機点灯状態を維持できずに消灯してしまうおそれがある。そこで、調光制御部７０は、予め規定された待機点灯状態での負荷電力で照明灯６０が待機点灯状態を維持できなくなった場合に、待機点灯状態での負荷電力を増大させるようにＭＥＲＳ３０の出力電圧の大きさと電流の位相を調整する制御を行うようにしてもよい。この制御は、たとえば以下のようにして行うことができる。【００９１】
まず、電流計などの電流監視部７９によって、照明灯６０に流れる電流が監視されており、電流監視部７９が照明灯６０に流れる電流量が所定量以下になったことを検知すると、待機点灯パラメータ変更指示部７８に信号を送信する。電流監視部７９からの信号を受けた待機点灯パラメータ変更指示部７８は、制御部４０に対して、待機点灯時の負荷電力を変更するように指示する。制御部４０は、待機点灯パラメータ変更指示部７８から指示を受けると、ＭＥＲＳ３０の出力電圧の大きさと電流の位相を変更して照明灯６０に供給する負荷電力を増加させる。前記「所定量」は、待機点灯状態における電流量であり、待機点灯パラメータ保時部７６に保持されている。【００９２】
負荷電力の増加によって照明灯６０が点灯すると、待機点灯パラメータ変更指示部７８は、電流監視部７９からの監視結果によって照明灯６０が点灯したことを認識する。さらに、待機点灯パラメータ変更指示部７８は、たとえば時間の経過を監視することで、最低負荷電力に所定量の電力だけ増加して待機点灯時の負荷電力となったことを認識する。【００９３】
待機点灯パラメータ変更指示部７８は、待機点灯時の負荷電力となったことを認識すると、制御部４０に対してＭＥＲＳ３０の出力電圧の大きさと電流の位相の調整を停止するように指示する。待機点灯パラメータ変更指示部７８から停止指示を受けた制御部４０は、ＭＥＲＳ３０の出力電圧の大きさと電流の位相の調整を停止するとともに、その時点での負荷電力の値などを新たなパラメータとして待機点灯パラメータ保時部７６に格納する。【００９４】
この制御は、電流監視部７９の代わりに、あるいは電流監視部７９とともに照明灯６０の輝度を検知する輝度検知センサを設け、待機点灯状態にある照明灯６０の輝度が所定値未満となったときに、行うようにしてもよい。電流監視部７９および輝度検知センサを組み合わせた場合には、より精度よく照明灯６０の消灯を回避することができる。【００９５】
あるいは、この制御は、照明灯６０の使用時間が所定時間以上となったときに、行うようにしてもよい。照明灯６０の使用時間は、たとえば調光制御部７０に記憶しておく。この場合には、より簡単な構成で、照明灯６０の消灯を回避することができる。【００９６】
なお、本実施形態の照明制御装置１００では、各照明灯６０に対してＭＥＲＳ３０と調光制御部７０とを設けているが、複数の照明灯６０に１組のＭＥＲＳ３０と調光制御部７０とを設け、これら複数の照明灯６０を一系統として系統毎に調光制御するようにしてもよい。【００９７】
以上、本実施形態に係る照明制御装置１００では、照明灯６０にＭＥＲＳ３０および調光制御部７０を設け、人感センサ９０の検知結果に基づいて、ＭＥＲＳ３０の出力電圧の大きさと電流の位相を変更して照明灯６０の輝度を無段階に調整している。そのため、人Ｈの存在する領域のみを通常点灯状態で照射し、他の領域をより少ない輝度で照射することが可能となり、無駄な電力の消費を削減することができる。また、本実施形態の照明制御装置１００では、照明灯６０と交流電圧源２０との間にＭＥＲＳ３０を組み込むだけであるため、調光制御対応のインバータ方式の蛍光灯以外の既存の照明灯であっても、調光制御を行うことができる。また、ＭＥＲＳ３０は簡単な構成であるため、その価格は安価である。そのため、照明制御装置１００を導入するコストは非常に低く抑えることができる。さらに、ＭＥＲＳ３０は上述のように簡単な構成であるため、そのサイズは小さい。そのため、既存の照明灯への設置を簡単に行うことができる。また、人Ｈの存在領域を他の領域と比較してより明るくできるため、周囲に人Ｈの存在を報知することができ、防犯効果も得られる。【００９８】
さらに、照明制御装置１００では、照明灯６０をＯＦＦにすることなく、その輝度をＭＥＲＳ３０によって調整することで輝度を低減している。そのため、ＯＮ／ＯＦＦの繰り返しによる照明灯６０の寿命の短縮を抑制でき、結果的に照明灯６０の長寿命化を図ることができる。【００９９】
また、ＭＥＲＳ３０の逆導通型半導体スイッチＳＷ１〜ＳＷ４が故障した場合は、交流電圧源２０と照明灯６０とが導通状態となるだけであり、ＭＥＲＳ３０の故障によって照明灯６０が点灯不能な状態に陥ることはない。そのため、既存の交流電圧源２０と照明灯６０との間にＭＥＲＳ３０を組み込んでも、それによる安全性の低下などの問題は生じない。【０１００】
なお、実施形態２では照明制御装置１００を公園の照明灯に適用した場合を例として示したが、たとえば、トンネル内の照明灯に適用することもできる。照明制御装置１００をトンネル内の照明灯に適用した場合には、状況検知手段として車両検知センサを用い、車両検知センサでトンネル内および車両進行方向上流側の所定領域内の車両Ｃの存在を検知する。そして、車両検知センサの検知結果に基づいて、トンネル内の照明灯の輝度を制御する。すなわち、車両Ｃが車両検知センサの検知エリア内に存在しない場合には、照明灯の輝度を低減することで無駄な電力消費を削減できる。【０１０１】
また、照明灯がＯＦＦにならないように調整されるため、照明灯に水銀灯やナトリウム灯などの再点灯時の立ち上がりの遅い放電灯が用いられている場合であっても、迅速に輝度を所望の量まで増大させることが可能である。【０１０２】
本発明は、上述の各実施形態に限定されるものではなく、当業者の知識に基づいて各種の設計変更等の変形を加えることも可能であり、そのような変形が加えられた実施形態も本発明の範囲に含まれうるものである。【０１０３】
たとえば、上述の各実施形態では、状況検知手段としての交通量検知センサ、人感センサ、あるいは車両検知センサの検知結果に基づいて調光制御部７０がＭＥＲＳ３０を制御しているが、次のような構成であってもよい。すなわち、ユーザが操作するユーザ操作部としてのスイッチパネルを設け、ユーザが手動でＭＥＲＳ３０を制御して照明灯６０の輝度を調整するようにしてもよい。また、この場合には、各ＭＥＲＳ３０に対して固有の識別情報としてＩＤナンバーなどを付与し、無線通信などによって各照明灯６０の輝度を遠隔操作で調整するようにしてもよい。また、天候なども視界に影響するため、状況検知手段は天候を検知するものであってもよい。さらに、状況検知手段は、化学物質の濃度、明るさ、振動、温度、放射能などを検知するものであってもよい。【０１０４】
また、ユーザによるスイッチパネルを介した照明灯の輝度の調整と、状況検知手段の検知結果に基づく照明灯の輝度の調整とを併用するようにしてもよい。この場合には、状況検知手段の検知結果に応じて自動的に調光することができるとともに、手動での調整によって状況の変化に迅速に対応することが可能となる。【０１０５】
さらに、上述の各実施形態に示した照明灯６０の輝度の調整制御は、駐車場、建物内の通路、空港、湾港、駅のプラットフォーム、工場、倉庫、非常階段用照明などにも状況に応じて適用することが可能である。  
【産業上の利用可能性】
【０１０６】
本発明は、照明機器に利用できる。
【図１】
2010001435.tif 000003
【図２】
2010001435.tif 000004
【図３】
2010001435.tif 000005
【図４】
2010001435.tif 000006
【図５】
2010001435.tif 000007
【図６】
2010001435.tif 000008
【図７】
2010001435.tif 000009
【図８】
2010001435.tif 000010
【図９】
2010001435.tif 000011
【図１０】
2010001435.tif 000012
【図１１】
2010001435.tif 000013
【図１２】
2010001435.tif 000014
【手続補正書】
【提出日】平成22年1月28日(2010.1.28)
【手続補正１】
【補正対象書類名】特許請求の範囲
【補正対象項目名】全文
【補正方法】変更
【補正の内容】
【特許請求の範囲】
【請求項１】
照明灯と電源との間に接続され、前記電源から前記照明灯に出力される、前記照明灯を点灯するための負荷電力を調整する負荷電力調整スイッチと、
前記負荷電力調整スイッチを制御する調光制御部と、
前記照明灯の照射領域の車両進行方向上流側の車両の交通量を検知する交通量検知手段と、
を備え、
前記調光制御部は、前記照明灯が定格点灯時の輝度未満の輝度で点灯する待機点灯状態となるように負荷電力を調整し、前記交通量検知手段の検知結果に応じて、前記照明灯が前記待機点灯状態における輝度以上の輝度で点灯する状態となるように負荷電力を調整すべく、前記負荷電力調整スイッチを制御し、
更に前記調光制御部は、前記交通量検知手段によって検知された車両の交通量が第１の所定量となるまでは、交通量の増加に応じて前記照明灯に供給する負荷電力が増大し、車両の交通量が前記第１の所定量以上となった場合には、交通量の増加に応じて前記照明灯に供給する負荷電力が減少するように、前記負荷電力調整スイッチを制御することを特徴とする照明制御装置。
【請求項２】
前記調光制御部は、前記交通量検知手段によって検知された車両の交通量が第２の所定量となるまでは、交通量の減少に応じて前記照明灯に供給する負荷電力が増大し、車両の交通量が前記第２の所定量未満となった場合には、交通量の減少に応じて前記照明灯に供給する負荷電力が減少するように、前記負荷電力調整スイッチを制御することを特徴とする請求項１に記載の照明制御装置。
【請求項３】
前記負荷電力調整スイッチは、少なくとも２つの逆導通型半導体スイッチと、電流遮断時の電流の磁気エネルギーを蓄積して前記照明灯に回生するためのコンデンサと、を有し、前記逆導通型半導体スイッチのゲート位相を制御することで、前記照明灯に供給する負荷電力を調整することを特徴とする請求項１または２に記載の照明制御装置。
【請求項４】
前記照明灯は、誘導性負荷を有する照明灯であり、
前記待機点灯状態で前記照明灯に出力される負荷電力は、定格点灯時の負荷電力未満かつ前記照明灯が放電を維持し得る最低負荷電力以上であって、定格点灯時の負荷電力よりも前記最低負荷電力に近いことを特徴とする請求項１ないし３のいずれか１項に記載の照明制御装置。
【請求項５】
前記調光制御部は、前記照明灯の輝度が無段階に変化するように、前記負荷電力調整スイッチを制御することを特徴とする請求項１ないし４のいずれか１項に記載の照明制御装置。
【請求項６】
前記調光制御部は、単位時間あたりの前記照明灯の輝度の変化量が所定値以下となるように、前記負荷電力調整スイッチを制御することを特徴とする請求項１ないし５のいずれか１項に記載の照明制御装置。
【請求項７】
前記調光制御部は、予め規定された前記待機点灯状態での負荷電力で前記照明灯が点灯できなくなった場合に、前記待機点灯状態での負荷電力を増大させるように、前記負荷電力調整スイッチを制御することを特徴とする請求項１ないし６のいずれか１項に記載の照明制御装置。
【請求項８】
前記照明灯に流れる電流を監視する電流監視部を備え、
前記調光制御部は、前記待機点灯状態において前記照明灯に電流が流れなくなったことが前記電流監視部によって検知されたときに、前記待機点灯状態での負荷電力を増大させるように、前記負荷電力調整スイッチを制御することを特徴とする請求項７に記載の照明制御装置。
【請求項９】
前記照明灯の輝度を測定する輝度検知センサを備え、
前記調光制御部は、前記待機点灯状態にある前記照明灯の輝度が所定値未満となったことが前記輝度検知センサによって検知されたときに、前記待機点灯状態での負荷電力を増大させるように、前記負荷電力調整スイッチを制御することを特徴とする請求項７または８に記載の照明制御装置。
【請求項１０】
前記調光制御部は、前記照明灯の使用時間が所定時間以上となったときに、前記待機点灯状態での負荷電力を増大させるように、前記負荷電力調整スイッチを制御することを特徴とする請求項７ないし９のいずれか１項に記載の照明制御装置。
【請求項１１】
ユーザが手動で前記負荷電力調整スイッチを制御するためのユーザ操作部を備え、
前記負荷電力調整スイッチは、前記ユーザ操作部を介して制御されることを特徴とする請求項１ないし１０のいずれか１項に記載の照明制御装置。
【請求項１２】
前記負荷電力調整スイッチは、４つの逆導通型半導体スイッチで構成されるブリッジ回路と、
前記ブリッジ回路の直流端子間に接続され、電流遮断時の電流の磁気エネルギーを蓄積して前記照明灯に回生するためのコンデンサと、を有し、
前記調光制御部は、前記逆導通型半導体スイッチのゲートに制御信号を送り、前記ブリッジ回路の対角線上に位置する２つの逆導通型半導体スイッチからなるペア２組のうち、一方のペアがＯＮの時に他方のペアがＯＦＦとなるように、各ペアの逆導通型半導体スイッチのＯＮ／ＯＦＦ切換を前記電源の周波数に同期して行うことで、前記照明灯に供給する負荷電力量を調整することを特徴とする請求項１ないし１１のいずれか１項に記載の照明制御装置。
【請求項１３】
前記負荷電力調整スイッチは、
直列に接続された２つの逆導通型半導体スイッチと、
前記２つの逆導通型半導体スイッチと並列に設けられた、直列に接続された２つのコンデンサと、
前記２つのコンデンサそれぞれと並列に接続された２つのダイオードと、
を含む縦型のハーフブリッジ構造を有することを特徴とする請求項１ないし１１のいずれか１項に記載の照明制御装置。
【請求項１４】
前記負荷電力調整スイッチは、
第１の経路上に直列に設けられた逆導通型半導体スイッチおよびコンデンサと、
前記第１の経路と並列な第２の経路上に直列に設けられた逆導通型半導体スイッチおよびコンデンサと、
前記第１、第２の経路に対して並列に結線された配線と、
を含む横型のハーフブリッジ構造を有することを特徴とする請求項１ないし１１のいずれか１項に記載の照明制御装置。
【請求項１５】
前記照明灯は、誘導性負荷を有する照明灯、誘導性負荷に接続された照明灯、または抵抗性負荷を有する照明灯であることを特徴とする請求項１ないし１４のいずれか１項に記載の照明制御装置。
【手続補正２】
【補正対象書類名】明細書
【補正対象項目名】００１３
【補正方法】変更
【補正の内容】
【００１３】
上記課題を解決するために、本発明のある態様は照明制御装置であり、この照明制御装置は、照明灯と電源との間に接続され、電源から照明灯に出力される、照明灯を点灯するための負荷電力を調整する負荷電力調整スイッチと、負荷電力調整スイッチを制御する調光制御部と、照明灯の照射領域の車両進行方向上流側の車両の交通量を検知する交通量検知手段と、を備え、調光制御部は、照明灯が定格点灯時の輝度未満の輝度で点灯する待機点灯状態となるように負荷電力を調整し、交通量検知手段の検知結果に応じて、照明灯が待機点灯状態における輝度以上の輝度で点灯する状態となるように負荷電力を調整すべく、負荷電力調整スイッチを制御し、更に調光制御部は、交通量検知手段によって検知された車両の交通量が第１の所定量となるまでは、交通量の増加に応じて照明灯に供給する負荷電力が増大し、車両の交通量が第１の所定量以上となった場合には、交通量の増加に応じて照明灯に供給する負荷電力が減少するように、負荷電力調整スイッチを制御することを特徴とする。
【国際調査報告】
2010001435.tif 000015
2010001435.tif 000016
2010001435.tif 000017
2010001435.tif 000018